(57)【要約】      （修正有）【課題】多様な按摩方式を採用し、足部の疲労を有効に解消可能な足部按摩器を提供する。【解決手段】按摩器台座１０と、足部按摩台２０と、動力源と、複数のローリング軸按摩器４０と、二つの回転軸按摩器５０と、第１組伝動装置と、第２組伝動装置と、前後移動装置と、を含む。動力源が正転しているときには、第１組伝動装置と第２組伝動装置が駆動されて、第１組伝動装置により、一方向回転可能軸受が空転となり、複数のローリング軸按摩器４０とが駆動されて回転し、第２組伝動装置により、二つの回転軸按摩器５０が駆動されて回転する。なお、動力源が逆転しているときには、第１組伝動装置が、一方向回転可能軸受を介して、足部按摩台２０全体を前後に移動し、複数のローリング軸按摩器４０を前後に移動しながら回転し、第２組伝動装置が二つの回転軸按摩器５０を前後に移動しながら回転する。【選択図】図１
0003183211.tif 000002
【実用新案登録請求の範囲】
【請求項１】
上に開口が設けられている立方形を呈するケースであり、その内部に前後に移動可能なスライド溝が設けられている按摩器台座と、
前記スライド溝の内部に設けられている足部按摩台と、
前記足部按摩台の内部に設けられており、第１伝動ウォームと、第２伝動ウォームと、を備える二軸モータである動力源と、
前記足部按摩台の上面に枢着されており、複数の軸部が設けられており、前記各軸部は、タイミングベルトと、二つのプーリーと、を介して連接されており、前記各軸部に複数の按摩ホイールが設けられており、最も外側に位置する前記軸部にヘリカルギヤが固定されている複数のローリング軸按摩器と、
前記足部按摩台の上面から突出するように設けられ、その底部にギヤが固定されており、前記ギヤは前記足部按摩台の内部に設けられており、その上面に複数の按摩ヘッドが設けられている二つの回転軸按摩器と、
前記足部按摩台の内部に設けられており、第１ギヤと、前記第１ギヤと一体成形された第２ギヤと、を含み、前記第１ギヤが前記第１伝動ウォームと噛合い、第３ギヤと第４ヘリカルギヤが一体成形され、前記第３ギヤが前記第２ギヤと噛合い、前記第４ヘリカルギヤが前記ヘリカルギヤと噛合い、これにより、前記ローリング軸按摩器を駆動して回転可能であり、前記第１伝動ウォームと噛合う第５ギヤを含み、前記第５ギヤの内部に一方向回転可能軸受が組付けられており、前記一方向回転可能軸受により、前記二軸モータは、一方向に回転しているときには空転となり、他方向に回転しているときには別の部品を駆動可能であり、前記一方向回転可能軸受には、第６ギヤが同軸に設けられており、前記第６ギヤが第７ギヤと噛合い、第８ギヤと第９ヘリカルギヤが一体成形され、前記第８ギヤが前記第７ギヤと噛合う第１組伝動装置と、
前記足部按摩台の内部に設けられており、それぞれ前記第２伝動ウォームと噛合う二組の第１０ギヤを含み、前記二組の第１０ギヤはそれぞれ第１１ギヤと一体成形され、前記二組の第１１ギヤは、それぞれ前記二組の回転軸按摩器の前記二つのギヤと噛合う第２組伝動装置と、
前記足部按摩台の内部に設けられており、ガイド溝が設けられるロッドを含み、前記ロッドは、前記足部按摩台に枢着されており、その一端にヘリカルギヤが設けられており、このヘリカルギヤが前記第９ヘリカルギヤと噛合い、固定台が前記按摩器台座に固定されており、前記固定台に設けられるガイド突起が前記ロッドの前記ガイド溝に係合されており、これにより、前記ロッドが回転しているときには、前記足部按摩台全体を前後に移動可能な前後移動装置と、
を含み、
前記二軸モータが正転しているときには、前記第１組伝動装置と前記第２組伝動装置が駆動されて、前記第１組伝動装置により、前記一方向回転可能軸受と前記複数のローリング軸按摩器とが駆動されて回転し、前記第２組伝動装置により、前記二つの回転軸按摩器が駆動されて回転し、前記二軸モータが逆転しているときに、前記第１組伝動装置は、前記一方向回転可能軸受を介して、前記足部按摩台全体を前後に移動し、前記複数のローリング軸按摩器を前後に移動しながら回転し、前記第２組伝動装置は前記二つの回転軸按摩器を前後に移動しながら回転することを特徴とする足部按摩器。
【請求項２】
前記按摩器台座の上面に複数の按摩用突起が設けられており、前記複数の按摩用突起により、ユーザの足の裏を按摩可能であることを特徴とする、請求項１に記載の足部按摩器。
【請求項３】
前記回転軸按摩器の内部に赤外線ランプ板が設けられており、前記赤外線ランプ板により、ユーザの足の裏を暖めて按摩可能であることを特徴とする、請求項１に記載の足部按摩器。
【請求項４】
前記二軸モータの上にある前記足部按摩台にカバーが設けられており、前記カバーの上面に複数の按摩用突起が設けられていることを特徴とする、請求項１に記載の足部按摩器。
【考案の詳細な説明】
【技術分野】
【０００１】
本考案は、按摩器に関し、特に、複数のローリング軸按摩器と二組の回転軸按摩器とにより、一定の位置にユーザの足の裏を按摩可能であり、又は前後に移動しながらユーザの足の裏を按摩可能な足部按摩器に関するものである。
【背景技術】
【０００２】
足部は、人体の重要な器官であり、その基本的な機能が歩き及び走りであり、よく運動する人は年齢が高くなっても、歩き及び走りが依然として良くできる。ユーザは毎日に足部を利用するため、足部を良く保養することがやらなければいけないことである。このため、足部按摩器により足部を按摩することが必要である。
【０００３】
従来の足部按摩器は、単純なローリング按摩方式を採用するため、極めて単調であり、そして按摩効果が少なく、足部の疲労を有効に解消することができない。
【考案の概要】
【考案が解決しようとする課題】
【０００４】
本考案の主な目的は、多様な按摩方式を採用し、足部の疲労を有効に解消可能な足部按摩器を提供することにある。
【課題を解決するための手段】
【０００５】
本考案の足部按摩器によると、上に開口が設けられている立方形を呈するケースであり、その内部に前後に移動可能なスライド溝が設けられている按摩器台座と、スライド溝の内部に設けられている足部按摩台と、足部按摩台の内部に設けられており、第１伝動ウォームと、第２伝動ウォームと、を備える二軸モータである動力源と、足部按摩台の上面に枢着されており、複数の軸部が設けられており、各軸部は、タイミングベルトと、二つのプーリーと、を介して連接されており、各軸部に複数の按摩ホイールが設けられており、最も外側に位置する軸部にヘリカルギヤが固定されている複数のローリング軸按摩器と、足部按摩台の上面から突出するように設けられ、その底部にギヤが固定されており、ギヤは足部按摩台の内部に設けられており、その上面に複数の按摩ヘッドが設けられている二つの回転軸按摩器と、足部按摩台の内部に設けられており、第１ギヤと、第１ギヤと一体成形された第２ギヤと、を含み、第１ギヤが第１伝動ウォームと噛合い、第３ギヤと第４ヘリカルギヤが一体成形され、第３ギヤが第２ギヤと噛合い、第４ヘリカルギヤが前記ヘリカルギヤと噛合い、これにより、ローリング軸按摩器を駆動して回転可能であり、第１伝動ウォームと噛合う第５ギヤを含み、第５ギヤの内部に一方向回転可能軸受が組付けられており、一方向回転可能軸受により、二軸モータは、一方向に回転しているときには空転となり、他方向に回転しているときには別の部品を駆動可能であり、一方向回転可能軸受には、第６ギヤが同軸に設けられており、第６ギヤが第７ギヤと噛合い、第８ギヤと第９ヘリカルギヤが一体成形され、第８ギヤが第７ギヤと噛合う第１組伝動装置と、足部按摩台の内部に設けられており、それぞれ第２伝動ウォームと噛合う二組の第１０ギヤを含み、二組の第１０ギヤはそれぞれ第１１ギヤと一体成形され、二組の第１１ギヤは、それぞれ二組の回転軸按摩器の二つのギヤと噛合う第２組伝動装置と、足部按摩台の内部に設けられており、ガイド溝が設けられるロッドを含み、ロッドは、足部按摩台に枢着されており、その一端にヘリカルギヤが設けられており、このヘリカルギヤが前記第９ヘリカルギヤと噛合い、固定台が按摩器台座に固定されており、固定台に設けられるガイド突起がロッドのガイド溝に係合されており、これにより、ロッドが回転しているときには、足部按摩台全体を前後に移動可能な前後移動装置と、を含み、二軸モータが正転しているときには、第１組伝動装置と第２組伝動装置が駆動されて、第１組伝動装置により、一方向回転可能軸受と複数のローリング軸按摩器とが駆動されて回転し、第２組伝動装置により、二つの回転軸按摩器が駆動されて回転し、二軸モータが逆転しているときに、第１組伝動装置は、一方向回転可能軸受を介して、足部按摩台全体を前後に移動し、複数のローリング軸按摩器を前後に移動しながら回転し、第２組伝動装置は二つの回転軸按摩器を前後に移動しながら回転することを特徴とする。
【０００６】
本考案の足部按摩器によると、按摩器台座の上面に複数の按摩用突起が設けられており、複数の按摩用突起により、ユーザの足の裏を按摩可能であることを特徴とする。
【０００７】
本考案の足部按摩器によると、回転軸按摩器の内部に赤外線ランプ板が設けられており、赤外線ランプ板により、ユーザの足の裏を暖めて按摩可能であることを特徴とする。
【０００８】
本考案の足部按摩器によると、二軸モータの上にある足部按摩台にカバーが設けられており、カバーの上面に複数の按摩用突起が設けられていることを特徴とする。
【考案の効果】
【０００９】
本考案の足部按摩器によれば、多様な按摩方式を採用し、足部の疲労を有効に解消可能であるという効果を有する。
【図面の簡単な説明】
【００１０】
【図１】本考案の一実施例の組合済み状態を示す斜視図である。
【図２】本考案の一実施例を示す分解斜視図１である。
【図３】本考案の一実施例の足部按摩台を示す分解斜視図である。
【図４】本考案の一実施例を示す分解斜視図２である。
【図５】本考案の第１組伝動装置と第２組伝動装置との下方の視点から見た斜視図である。
【図６】本考案の一実施例を示す断面図である。
【図７】本考案の一実施例の使用状態を示す平面図である。
【考案を実施するための最良の形態】
【００１１】
以下、本考案の実施の形態を図面に基づいて説明する。
図１乃至図７を参照する。図１は本考案の一実施例の組合済み状態を示す斜視図であり、図２は本考案の一実施例を示す分解斜視図１であり、図３は本考案の一実施例の足部按摩台を示す分解斜視図であり、図４は本考案の一実施例を示す分解斜視図２であり、図５は本考案の第１組伝動装置と第２組伝動装置との下方の視点から見た斜視図であり、図６は本考案の一実施例を示す断面図であり、図７は本考案の一実施例の使用状態を示す平面図である。本考案の一実施例の足部按摩器は、按摩器台座１０と、足部按摩台２０と、動力源３０と、複数のローリング軸按摩器４０と、二つの回転軸按摩器５０と、第１組伝動装置６０と、第２組伝動装置７０と、前後移動装置８０と、を含む。
【００１２】
按摩器台座１０は、上に開口１１が設けられている立方形を呈するケースであり、その内部に前後に移動可能なスライド溝１２が設けられている。按摩器台座１０の上面に複数の按摩用突起１３が設けられている。複数の按摩用突起１３により、ユーザの足の裏を按摩可能である。
【００１３】
足部按摩台２０は、スライド溝１２の内部に設けられている。
【００１４】
動力源３０は、足部按摩台２０の内部に設けられており、第１伝動ウォーム３１１と、第２伝動ウォーム３１２と、を備える二軸モータ３１でもよい。
【００１５】
複数のローリング軸按摩器４０は、足部按摩台２０の上面に枢着されており、複数の軸部４１が設けられている。各軸部４１は、タイミングベルト４２と、二つのプーリー４３と、を介して連接されている。各軸部４１に複数の按摩ホイール４４が設けられている。最も外側に位置する軸部４１にヘリカルギヤ４５が固定されている。
【００１６】
二つの回転軸按摩器５０は、足部按摩台２０の上面から突出するように設けられ、その底部にギヤ５１が固定されている。ギヤ５１は足部按摩台２０の内部に設けられている。回転軸按摩器５０の上面に複数の按摩ヘッド５２が設けられている。回転軸按摩器５０の内部に赤外線ランプ板５３が設けられている。赤外線ランプ板５３により、ユーザの足の裏を暖めて按摩可能である。
【００１７】
第１組伝動装置６０は、足部按摩台２０の内部に設けられており、第１ギヤ６１と、第１ギヤ６１と一体成形された第２ギヤ６２と、を含む。第１ギヤ６１は第１伝動ウォーム３１１と噛合う。第３ギヤ６３と第４ヘリカルギヤ６４は一体成形される。第３ギヤ６３は第２ギヤ６２と噛合う。第４ヘリカルギヤ６４はヘリカルギヤ４５と噛合う。これにより、ローリング軸按摩器４０を駆動して回転可能である。第１組伝動装置６０は、第１伝動ウォーム３１１と噛合う第５ギヤ６５を含む。第５ギヤ６５の内部に一方向回転可能軸受６５１が組付けられている。一方向回転可能軸受６５１により、二軸モータ３１は、一方向に回転しているときには空転となり、他方向に回転しているときには別の部品を駆動可能である。一方向回転可能軸受には、第６ギヤ６６が同軸に設けられている。第６ギヤ６６は第７ギヤ６７と噛合う。第８ギヤ６８と第９ヘリカルギヤ６９は一体成形される。第８ギヤ６８は第７ギヤ６７と噛合う。
【００１８】
第２組伝動装置７０は、足部按摩台２０の内部に設けられており、それぞれ第２伝動ウォーム３１２と噛合う二組の第１０ギヤ７１を含む。二組の第１０ギヤ７１はそれぞれ第１１ギヤ７２と一体成形される。二組の第１１ギヤ７２は、それぞれ二組の回転軸按摩器５０の二つのギヤ５１と噛合う。
【００１９】
前後移動装置８０は、足部按摩台２０の内部に設けられており、ガイド溝８１１が設けられるロッド８１を含む。ロッド８１は、足部按摩台２０に枢着されており、その一端にヘリカルギヤ８２が設けられている。ヘリカルギヤ８２は第９ヘリカルギヤ６９と噛合う。固定台８３は按摩器台座１０に固定されている。固定台８３に設けられるガイド突起８３１は、ロッド８１のガイド溝８１１に係合されている。これにより、ロッド８１が回転しているときには、足部按摩台２０全体が前後に移動可能である。
【００２０】
二軸モータ３１が正転しているときには、第１組伝動装置６０と第２組伝動装置７０が駆動されて、第１組伝動装置６０により、一方向回転可能軸受６５１と複数のローリング軸按摩器４０とが駆動されて回転し、第２組伝動装置７０により、二つの回転軸按摩器５０が駆動されて回転する。二軸モータ３１が逆転しているときに、第１組伝動装置６０は、一方向回転可能軸受６５１を介して、足部按摩台２０全体を前後に移動し、複数のローリング軸按摩器４０を前後に移動しながら回転し、第２組伝動装置７０は二つの回転軸按摩器５０を前後に移動しながら回転する。
【００２１】
本実施例では、二軸モータ３１の上にある足部按摩台２０にカバー２１が設けられている。カバー２１の上面に複数の按摩用突起２１１が設けられている。複数の按摩用突起２１１により、ユーザの足の裏を按摩可能である。
【００２２】
上記の構成によれば、本考案の実施例の足部按摩器は、ローリング軸按摩器と回転軸按摩器とが、一定の位置に回転するモード、又は前後に移動しながら回転するモードを選択して、ユーザの足の裏を按摩可能である。本考案では、二軸モータ３１が、一方向に回転しているときには空転となり、他方向に回転しているときには、前後移動装置８０を伝動して足部按摩器２０全体を前後に移動させ可能であることを利用する。すなわち、二軸モータ３１が正転しているときには、第１組伝動装置６０と第２組伝動装置７０が駆動されて、第１組伝動装置６０により、一方向回転可能軸受６５１が空転となり、複数のローリング軸按摩器４０とが駆動されて回転し、第２組伝動装置７０により、二つの回転軸按摩器５０が駆動されて回転する。なお、二軸モータ３１が逆転しているときに、第１組伝動装置６０は、一方向回転可能軸受６５１を介して、足部按摩台２０全体を前後に移動し、複数のローリング軸按摩器４０を前後に移動しながら回転し、第２組伝動装置７０は二つの回転軸按摩器５０を前後に移動しながら回転する。このように、足部のストレス及び疲労を有効に解消可能である。
【産業上の利用可能性】
【００２３】
本考案は、按摩器に適用することができる。
【符号の説明】
【００２４】
１０：按摩器台座
１１：開口
１２：スライド溝
１３：按摩用突起
２０：足部按摩台
２１：カバー
３０：動力源
３１：二軸モータ
４０：ローリング軸按摩器
４１：軸部
４２：タイミングベルト
４３：プーリー
４４：按摩ホイール
４５：ヘリカルギヤ
５０：回転軸按摩器
５１：ギヤ
５２：按摩ヘッド
５３：赤外線ランプ板
６０：第１組伝動装置
６１：第１ギヤ
６２：第２ギヤ
６３：第３ギヤ
６４：第４ヘリカルギヤ
６５：第５ギヤ
６６：第６ギヤ
６７：第７ギヤ
６８：第８ギヤ
６９：第９ヘリカルギヤ
７０：第２組伝動装置
７１：第１０ギヤ
７２：第１１ギヤ
８０：前後移動装置
８１：ロッド
８２：ヘリカルギヤ
８３：固定台
２１１：按摩用突起
３１１：第１伝動ウォーム
６５１：一方向回転可能軸受
８１１：ガイド溝
８３１：ガイド突起
【図１】
0003183211.tif 000003
【図２】
0003183211.tif 000004
【図３】
0003183211.tif 000005
【図４】
0003183211.tif 000006
【図５】
0003183211.tif 000007
【図６】
0003183211.tif 000008
【図７】
0003183211.tif 000009